(57)【要約】【課題】カバーを開けることによりバッテリカバー内に収容されるヒューズユニット等を視認することができるとともに、バッテリカバー全体の大型化を防止することのできるバッテリカバーを提供することを目的としている。【解決手段】ヒューズユニットを収容するカバー本体部と、このカバー本体部に連設して一体形成された第１カバー部と、この第１カバー部を覆う位置とバッテリポストを覆う位置との間をスライドする第２カバー部とを備えたバッテリカバーであって、  前記第２カバー部が前記バッテリポストを覆う位置で、前記第１カバー部の上面壁より下部側に位置させるスライド機構を有していることを特徴とする。【選択図】図５
2014207068.tif 000002
【特許請求の範囲】
【請求項１】
ヒューズユニットを収容するカバー本体部と、このカバー本体部に連設して一体形成された第１カバー部と、この第１カバー部を覆う位置とバッテリポストを覆う位置との間をスライドする第２カバー部とを備えたバッテリカバーであって、
前記第２カバー部が前記バッテリポストを覆う位置で、前記第１カバー部の上面壁より下部側に位置させるスライド機構を有していることを特徴とするバッテリカバー。
【請求項２】
請求項１記載のバッテリカバーであって、
前記スライド機構は、第１カバー部又は第２カバー部のいずれか一方に設けられ前記一方の底面側から上面側に向けて傾斜するリブと、いずれか他方に設けられて前記リブに摺動する摺動溝とで形成されていることを特徴とするバッテリカバー。
【請求項３】
請求項２記載のバッテリカバーであって、
前記第２カバー部は、一対の第２側壁と、該第２側壁を連結するようにして設けられる上面傾斜壁と、を有し、
前記リブと前記摺動溝との傾斜角度と、前記第２カバー部の上面傾斜壁との傾斜角度が同じであることを特徴とするバッテリカバー。
【発明の詳細な説明】
【技術分野】
【０００１】
本発明は、バッテリポスト等に接続されるヒューズユニットに用いられるバッテリカバーに関するものである。
【背景技術】
【０００２】
従来、特許文献１に示すように一般的なバッテリカバーは、バッテリポストに接続されるヒューズユニットに適用され、ヒューズユニットの上部を覆う第１のカバーと、第１のカバーにヒンジ部を介して繋がる第２のカバーとにより一体的に構成されている。
【０００３】
第１のカバーの内部には、ヒューズユニットが収容されており、第２のカバーの内部には、ヒューズユニットとバッテリポストが収容されている。
【０００４】
この第２のカバーは第１のカバーとの間に設けられたヒンジ部を回動中心として開閉可能となっており、第２のカバーを開くことによって、内部に収容されたヒューズユニットとバッテリポストを視認することができ、ヒューズユニット等の接続状態を確認することができる。
【０００５】
ところで、特許文献１に示すような従来のバッテリカバーは、内部に収容されるヒューズユニットとバッテリポストを視認するために第２のカバーを開閉する。
【０００６】
このため、第１のカバーと第２のカバーとを連結する箇所に可撓性を有するヒンジ部を設けているが、ヒンジ部を回動中心として開閉するために第１，２のカバーよりもヒンジ部の肉厚を薄くしなければならず、ヒンジ部の耐久性を確保することが困難となっていた。
【０００７】
この特許文献１に対して、図７，８に示すバッテリカバー１００では、特許文献１に示すようなヒンジ部を用いずに第１カバー１０１の外周壁１０２にリブ１０３を設け、第２カバー１０４の内壁１０５に第１カバー１０１のリブ１０３に摺接する摺動溝１０６を設けている。
【０００８】
図７に示すバッテリカバー１００では、第１カバー１０１の外周壁１０２に設けたリブ１０３に沿って第２カバー１０４の内壁１０５に設けた摺動溝１０６が摺動することにより、第２カバー１０４内に収容されるヒューズユニット１０７とバッテリポスト１０８を視認可能としている。
【０００９】
そのため、特許文献１に示すように、第１のカバーと第２のカバーとを連結するヒンジ部を設けることなく、第２カバー１０４をリブ１０３に沿ってスライドさせることにより、バッテリカバー１００内に収容されるヒューズユニット１０７とバッテリポスト１０８を視認することができる。
【先行技術文献】
【特許文献】
【００１０】
【特許文献１】特開２００２−２８９１７１
【発明の概要】
【発明が解決しようとする課題】
【００１１】
しかしながら、図７に示す従来のバッテリカバー１００では、第１カバー１０１の外周壁に設けたリブ１０３に沿って第２カバー１０４の内壁１０５に設けた摺動溝１０６が摺動することによって、第２カバー１０４が第１カバー１０１の外周を覆うようにして重なるため、図８に示すように、第２カバー１０４がバッテリポスト１０８の上面を覆っている状態において、第１カバー１０１と第２カバー１０４との壁面の板の厚さが重複し（厚さＴ）、バッテリカバー１００全体の大きさが大きくなってしまうという課題があった。
【００１２】
そこで、本発明は、カバーを開けることによりバッテリカバー内に収容されるヒューズユニット等を視認することができるとともに、バッテリカバー全体の大型化を防止することのできるバッテリカバーを提供することを目的としている。
【課題を解決するための手段】
【００１３】
上記の課題を解決するために、請求項１記載の発明では、ヒューズユニット５を収容するカバー本体部２と、このカバー本体部２に連設して一体形成された第１カバー部３と、この第１カバー部３を覆う位置とバッテリポスト４７を覆う位置との間をスライドする第２カバー部４とを備えたバッテリカバー１であって、前記第２カバー部４が前記バッテリポスト４７を覆う位置で、前記第１カバー部３の上面壁１３より下部側に位置させるスライド機構を有していることを特徴とする。
【００１４】
また、請求項２記載の発明では、請求項１記載のバッテリカバー１であって、スライド機構は、第１カバー部３又は第２カバー部４のいずれか一方に設けられ前記一方の底面側から上面側に向けて傾斜するリブ１７と、いずれか他方に設けられて前記リブ１７に摺動する摺動溝２９とで形成されていることを特徴とする。
【００１５】
さらに、請求項３記載の発明では、請求項２記載のバッテリカバー１であって、前記第２カバー部４は、一対の第２側壁２５と、該第２側壁２５を連結するようにして設けられる上面傾斜壁２７と、を有し、前記リブ１７と前記摺動溝２９との傾斜角度と、前記第２カバー部４の上面傾斜壁２７との傾斜角度が同じであることを特徴とする。
【発明の効果】
【００１６】
請求項１記載の発明によれば、第２カバー部４がバッテリポスト４７を覆う位置で、第１カバー部３の上面壁１３より下部側に位置させるスライド機構を有していることにより、第２カバー部４が第１カバー部３の上面壁１３よりも下部側に位置するためバッテリカバー１全体の大型化を防止することができる。
【００１７】
また、請求項２記載の発明によれば、スライド機構が第１カバー部３又は第２カバー部４のいずれか一方に設けられ前記一方の底面側から上面側に向けて傾斜するリブ１７と、いずれか他方に設けられて前記リブ１７に摺動する摺動溝２９とで形成されていることにより、リブ１７に沿って第１カバー部３又は第２カバー部４を傾斜角に平行にスライドさせることができる。
【００１８】
さらに、請求項３記載の発明によれば、リブ１７と摺動溝２９の傾斜角度と、第２カバー部４の上面傾斜壁２７との傾斜角度が同じであることにより、リブ１７に沿って摺動溝２９が形成された第２カバー部４をスライドさせることができるとともに、第２カバー部４の上面傾斜壁２７も第１カバー部３の傾斜壁１５に沿って確実にスライドさせることができる。
【図面の簡単な説明】
【００１９】
【図１】本発明のカバー本体部及び第１カバー部の斜視図。
【図２】（ａ）本発明のカバー本体部及び第１カバー部に取り付けられる第２カバーの斜視図、（ｂ）図２（ａ）の断面図。
【図３】第１カバー部に第２カバー部が取り付けられた状態の要部拡大図。
【図４】第１カバー部に第２カバー部が取り付けられた状態の断面図。
【図５】（ａ）本発明のバッテリカバーの第２カバー部が閉じた状態を示す断面図、（ｂ）本発明のバッテリカバーの第２カバー部が閉じた状態を示す斜視図。
【図６】（ａ）本発明のバッテリカバーの第２カバー部が開いた状態を示す断面図、（ｂ）本発明のバッテリカバーの第２カバー部が開いた状態を示す斜視図。
【図７】（ａ）従来のバッテリカバーの斜視図、（ｂ）従来のバッテリカバーの断面図。
【図８】従来のバッテリカバーの要部拡大断面図。
【発明を実施するための形態】
【００２０】
以下、本発明の実施の形態について、図面を用いて詳細に説明する。
【００２１】
図１〜６を用いて、本発明のバッテリカバー１ついて説明する。
【００２２】
本発明のバッテリカバー１は、カバー本体部２と、カバー本体部２に連設して一体に設けられる第１カバー部３と、第１カバー部３を覆うようにしてスライドする第２カバー部４と、カバー本体部２の内部に収容されるヒューズユニット５とからなっている。
【００２３】
図１は、バッテリカバー１のカバー本体部２と第１カバー部３の斜視図を示している。
【００２４】
カバー本体部２は、一面側を開放された略箱状に形成されており、内側に後述するヒューズユニット５を収容するヒューズユニット収容部７を備えている。さらに、カバー本体部２の外周壁９からは図示しない取付部に挿入される突設部が形成されている。
【００２５】
また、カバー本体部２の一端側の外周壁９から連設するようにして第１カバー部３が一体に形成されている。
【００２６】
カバー本体部２に一体形成して設けられた第１カバー部３は、カバー本体部２の外周壁９から延設された第１側壁１１と、第１側壁１１の一端側を連結するようにして形成される上面壁１３とから形成されている。第１側壁１１と上面壁１３が連結されたカバー本体部２の反対側の端部には第１開口部１６が形成され、第１側壁１１を連結する上面壁１３の第１開口部１６側は傾斜壁１５となっている。
【００２７】
第１カバー部３の第１側壁１１には、スライド機構としてのリブ１７が形成され、このリブ１７の一端側は第１開口部１６縁から立設され、他端側はカバー本体部２まで延設されている。
【００２８】
また、このリブ１７は、第１開口部１６側からカバー本体部２へ向かうにしたがって上り傾斜に形成されており、リブ１７の傾斜角度と第１カバー部３の傾斜壁１５の傾斜角度は同じに形成されている。
【００２９】
なお、第１カバー部３の第１側壁１１に形成したリブ１７の長さ及び突出高さは適宜変更可能である。
【００３０】
図２（ａ）、（ｂ）は、バッテリカバー１の一部を形成する第２カバー部４の斜視図と第２カバー部４の断面図を示している。
【００３１】
略矩形筒状の第２カバー部４は、第１カバー部３の第１開口部１６近傍を覆うようにして配置される第２カバー本体部１９と、後述するバッテリ端子４１を収容するバッテリポストカバー部２１と、第２カバー本体部１９とバッテリポストカバー部２１とを連設するようにして設けられた連結壁２３と、からなっている。
【００３２】
第２カバー本体部１９は、一対の第２側壁２５と、対向する第２側壁２５を連結するようにして設けられる上面傾斜壁２７と、からなっており、一対の第２側壁２５は、後述するバッテリポストカバー部２１の側壁３３よりも高さ方向に突出して形成されている。
【００３３】
また、一対の第２側壁２５には、第２側壁２５からそれぞれ突出するようにしてスライド機構としての摺動溝２９が設けられている。すなわち、第２側壁２５の内壁が凹設して摺動溝２９が形成されている。
【００３４】
この摺動溝２９には、第１カバー部３に設けられたリブ１７が嵌挿されるため、第２側壁２５から突出する高さはリブ１７の高さとほぼ同じであることが好ましい。
【００３５】
なお、上述したように、本実施例では、第１カバー部３に設けられたリブ１７と第２カバー部４に設けられた摺動溝２９とによってスライド機構が形成されており、このスライド機構によって、第２カバー部４が第１カバー部３を覆う位置と後述するバッテリポスト４７を覆おう位置との間をスライドする。
【００３６】
一対の対向する第２側壁２５を連結するようにして形成される上面傾斜壁２７は、後述するバッテリポストカバー部２１の上面壁３５から上り傾斜に形成されている。なお、図３（ａ）の一点鎖線に示すように、上面傾斜壁２７の傾斜角度は、第１カバー部３の第１側壁１１に形成されるリブ１７の傾斜角度と同じである。
【００３７】
図３（ｂ）の拡大図に示すように、上面傾斜壁２７の端部には切欠部３１が設けられており、上面傾斜壁２７の内壁面３２は第１カバー部３の傾斜壁１５の外壁に当接するように配置されている。
【００３８】
また、図４の一点鎖線に示すように、第２カバー本体部１９の上面傾斜壁２７の先端、すなわち切欠部３１は、第１カバー部３の上面壁１３よりも高さ方向下方位置に配置されている。
【００３９】
第２カバー本体部１９よりも幅広に設けられるバッテリポストカバー部２１は、後述するバッテリ端子４１を覆うように一対の側壁３３を連結する上面壁３５から形成されている。また、第２カバー本体部１９の反対側には、第２開口部３６が形成されている。
【００４０】
第２カバー本体部１９とバッテリポストカバー部２１とを連結する連結壁２３は、第２カバー本体部１９からバッテリポストカバー部２１に向けて拡径するようにして第２側壁２５と側壁３３とを連結している。
【００４１】
カバー本体部２に収容されるヒューズユニット５は、図示しないバッテリと電線とを接続するものであり、導電金属板３９を略９０°に曲げたヒューズエレメント３７と、ヒューズエレメント３７の表裏面覆うようにしてインサート成型された樹脂３８とからなっている。
【００４２】
図示しないバッテリにはバッテリポスト４７が突設されており、このバッテリポスト４７とヒューズユニット５とを接続するバッテリ端子４１が配置されている。
【００４３】
バッテリ端子４１には、バッテリから突設されるバッテリポスト４７とバッテリ端子４１とを接続するバッテリポスト接続孔４９が形成されるとともに、導電金属板３９にボルト４５によって固定されることでバッテリ端子４１を介してバッテリとヒューズユニット５とを電気的に接続している。
【００４４】
また、導電金属板３９には、バッテリ端子４１と接続するため接続孔４３が設けられるとともに、接続孔４３にボルト４５が螺合されることにより、導電金属板３９とバッテリ端子４１とが接続されている。
【００４５】
次に、図５，６を用いて第２カバー部４の動作について説明する。
【００４６】
図５（ａ）では、第２カバー部４がバッテリ端子４１の上面を覆っている状態（閉状態）を示し、図５（ｂ）では、バッテリカバー１の斜視図を示している。
【００４７】
第１カバー部３に取り付けられる第２カバー部４は、図５（ａ），（ｂ）に示すように、第１カバー部３の第１開口部１６の開口縁を覆うようにして第２カバー部４が配置される。
【００４８】
このとき、第２カバー本体部１９の第２側壁２５に形成された摺動溝２９を第１カバー部３の第１側壁１１に立設されたリブ１７に嵌挿する。これにより、摺動溝２９がリブ１７に摺動し、第２カバー部４の動作はリブ１７の傾斜に規制される。
【００４９】
また、第２カバー本体部１９が第１カバー部の第１開口部１６縁を覆った状態では、第２カバー部４の高さ方向下方位置には、バッテリ端子４１が配置されている。
【００５０】
図６（ａ）では、第２カバー部４がバッテリ端子４１を露出した状態（開状態）を示し、図６（ｂ）では、バッテリカバー１の斜視図を示している。
【００５１】
図５（ａ）、（ｂ）に示した第２カバー部４が閉状態から第２カバー部４を第１カバー部３へ近接する方向へスライドさせる。スライドさせることにより、第２カバー部４の摺動溝２９が第１カバー部３に形成されたリブ１７に沿って摺動することによって、図６（ｂ）に示すようにバッテリポスト４７を露出させた開状態となる。
【００５２】
上述した構成とすることにより、第１カバー部３のリブ１７と第２カバー部４の摺動溝２９は、各カバー部の底面側から上面側へ向けて傾斜して形成されていることにより、第１カバー部３のリブ１７に沿ってスライドする第２カバー部４を傾斜角に平行にスライドさせることができる。
【００５３】
また、第１カバー部３のリブ１７と第２カバー部４の摺動溝２９の傾斜角度と、第２カバー部４の上面傾斜壁２７との傾斜角度が同じであることにより、リブ１７に沿って摺動溝２９が形成された第２カバー部４をスライドさせることができるとともに、第２カバー部４の上面傾斜壁２７も第１カバー部３の傾斜壁１５に沿って確実にスライドさせることができる。
【００５４】
また、第１カバー部３の傾斜角を有するリブ１７に沿って第２カバー部４がスライドするため、閉状態において、第１カバー部３の上面壁１３よりも高さ方向下方位置に第２カバー部４を配置することができ、バッテリカバー１全体の小型化を実現することができる。
【００５５】
すなわち、従来のバッテリカバーを示す図８においては、第１カバーと第２カバーが重なる（厚さＴ）ことによって高さ方向に大型化してしまうが、本発明では図４に示すように第１カバー部３の上面壁１３よりも下部側に第２カバー部４が配置されるため、第１カバー部３と第２カバー部４とが重なることなく（厚さＡ）、バッテリカバー１全体の小型化を実現することができる。
【００５６】
なお、本発明のバッテリカバー１では、第１カバー部３のリブ１７及び傾斜壁１５、第２カバー部４の上面傾斜壁２７及び摺動溝２９は、同じ角度に傾斜している。この傾斜角度は、適宜変更可能であることはもちろんである。
【００５７】
また、本実施例のスライド機構では、第１カバー部３にリブ１７を設け、第２カバー部４に摺動溝２９を設けているが、第１カバー部３に摺動溝を設け、第２カバー部４にリブを設けても良い。
【産業上の利用可能性】
【００５８】
本発明は、バッテリカバーに利用することができる。
【符号の説明】
【００５９】
１  バッテリカバー
２  カバー本体部
３  第１カバー部
４  第２カバー部
５  ヒューズユニット
１７  リブ
２９  摺動溝
【図１】
2014207068.tif 000003
【図２】
2014207068.tif 000004
【図３】
2014207068.tif 000005
【図４】
2014207068.tif 000006
【図５】
2014207068.tif 000007
【図６】
2014207068.tif 000008
【図７】
2014207068.tif 000009
【図８】
2014207068.tif 000010